Podtech/llm-jp-corpus-v4-ja_patent huggingface dataset:
(57)【要約】      （修正有）【課題】従来の製袋機械において、二つの異なった形状の袋の製袋時には、異なった二つの袋を同時に取り出して、一つの箱に収納し、収納後、選別・整頓を行っていた。【解決手段】製袋機械において、袋の取り出し部にセンサー４を取り付け、それによって、取り出しロール２の回転数を変更可能にし、異型の袋を選別して取り出すことを可能にするロール装置１を追加設置するという手段をとる。前記、異型の袋取り出しロール装置１の取り出し部に、テーブルを設置して、テーブルの上に、Ａ型袋箱と、Ｂ型袋箱を設置するという手段をとる。【選択図】図１
2016101747.tif 000002
【特許請求の範囲】
【請求項１】
フィルム部材によって形成され、互いに重ね合わされた状態で両側部どうし、及び、上部どうしまたは底部どうしのいずれかが連結されることにより袋体を構成する製袋機械において、袋の形状の異なる二つの袋、Ａ型袋と、Ｂ型袋を取り出す、ロール装置において、Ａ型袋を取り出す時には、袋の取り出しロールの加減速モーターが、正常回転数にて取り出し、Ａ型袋をＡ型袋箱に収納させることであって、Ｂ型袋を取り出す時には、袋の検出センサーによって、検出時のみ、袋の取り出しロールの加減速モーターの回転数を減速させて取り出し、Ｂ型袋をＢ型袋箱に収納させることを特徴とする異型の袋取り出しロール装置。
【発明の詳細な説明】
【発明の詳細な説明】
【技術分野】
【０００１】本発明は、製袋機械における、異型の袋取り出しロール装置である。
【発明の概要】
【発明が解決しようとする課題】
【０００２】従来の製袋機械において、二つの異なった形状の袋の製袋時には、異なった二つの袋を同時に取り出して、一つの箱に収納し、収納後、選別・整頓を行っていた。
【課題を解決するための手段】
【０００３】本発明は、製袋機械において、袋の取り出し部にセンサーを取り付け、それによって、取り出しロールの回転数を変更可能にし、異型の袋を選別して取り出すことを可能にするロール装置を追加設置するという手段をとる。【０００４】上記、異型の袋取り出しロール装置の取り出し部に、テーブルを設置して、テーブルの上に、Ａ型袋箱と、Ｂ型袋箱を設置するという手段をとる。
【図面の簡単な説明】
【０００５】
【図１】異型の袋取り出しロール装置の正面図
【図２】異型の袋取り出しロール装置の側面図
【図３】刃物によって、切り取る方式の製袋機械側面図
【図４】熱刃によって、切り取る方式の製袋機械側面図
【図５】大小の袋
【図６】異型の袋
【図７】印刷の絵柄が一袋おきに異なる袋
【発明を実施するための形態】
【０００６】以下、本発明の実施の形態について図面を参照しながら詳細に説明する。なお、以下の説明にあたって、同一構成要件については、同一符号を付けて、重複した説明を省略する。
【０００７】フィルム部材によって形成され、互いに重ね合わされた状態で両側部どうし、及び、上部どうしまたは底部どうしのいずれかが連結されることにより袋体を構成する製袋機械である。
【０００８】上記の、袋の形状の異なる二つの袋、Ａ型袋１６と、Ｂ型袋１７を取り出す、異型の袋を取り出すロール装置１を設置する。
【０００９】上記の、異型の袋取り出しロール装置１は、Ａ型袋１６を取り出す時には、袋の取り出しロール２の加減速モーター３を、正常回転数にて取り出し、Ａ型袋箱１２に収納させる。Ｂ型袋１７を取り出す時には、Ｂ型袋１７を袋の検出センサー４にて検出して、検出時のみ、袋の取り出しロール２の加減速モーター３にて、袋の取り出しロール２の回転数を減速させるため、Ｂ型袋１７が遠くに飛び出さない、よって、Ｂ型袋を近くのＢ型袋箱１３に収納させる。
【００１０】上記によって、Ａ型袋１６とＢ型袋１７の収納箱が決められているため、Ａ型袋１６とＢ型袋１７の選別が可能である。
【００１１】上記の、異型の袋とは、たとえば、Ａ型袋１６は大、Ｂ型袋１７は小、または、一袋置きに形の異なるＡ型袋１８、Ｂ型袋１９、または、印刷の絵柄が一袋おきに異なるＡ型袋２０、Ｂ型袋２１等をいう。
【００１２】本発明の、異型の袋取り出しロール装置１は、図１の刃物１０によって切り取る方式の製袋機械と、図２の熱刃によって熱接着し、切り取る方式の製袋機械のどちらにも設置することが出来る。
【００１３】本発明は、同じ形状の袋を製袋する時は、全袋を検出センサー４にて検出し、袋の排出時のみ、異型の袋取り出しロール装置１の、袋の取り出しロール２を加減速モーター３によって袋の取り出しロール２を減速させ、全袋をＢ型袋箱１３に収納させる。
【００１４】本発明は、同じ形状の袋を製袋する時は、センサー機能によって、全袋をセンサー３を使用して、異型の袋取り出しロール装置４のロール１を減速させて、製袋する。よってＢ型袋のみの製袋であるため、Ｂ型袋箱１３に収納させる。本方式も、特許請求の範囲  請求項１の範囲内である。
【００１５】本発明は、製袋機械の異型の袋取り出しロール装置１であって、異型の袋、Ａ型袋１６を取り出す時は、異型の袋取り出しロール装置１の、袋の取り出しロール２の加減速モーター３によって、袋の取り出しロール２が正常回転数にて、袋の受け台のＡ型袋１６はＡ型袋箱１２に収納する。Ｂ型袋１７を取り出す時は、異型の袋取り出しロール装置１の、ロールがセンサー４の検出にて、減速させることによって、袋の受け台のＢ型袋箱１３に収納する。よって、Ａ型袋１６とＢ型袋１７の収納箱が決められているため、Ａ型袋１６とＢ型袋１７の選別が可能である。
【符号の説明】
【００１６】  １  異型の袋取り出しロール装置
２  袋の取り出しロール
３  袋取り出しロールの加減速モーター
４  袋の検出センサー
５  フィルム部材
６  フィルム部材の繰り出しロール
７  製袋用熱板
８  製袋用熱板受け台
９  製袋後の繰り出しロール
１０  刃物によって切り取る方式の製袋機械の切り取り刃物
１１  袋の前受け台
１２  Ａ型袋収納箱
１３  Ｂ型袋収納箱
１４  熱刃によって切り取る方式の製袋機械の熱刃
１５  製袋済みの袋取り出しロール
１６  大袋
１７  小袋
１８  異型の袋
１９  異型方向違いの袋
２０  異なる印刷袋
２１  異なる印刷袋
【図１】
2016101747.tif 000003
【図２】
2016101747.tif 000004
【図３】
2016101747.tif 000005
【図４】
2016101747.tif 000006
【図５】
2016101747.tif 000007
【図６】
2016101747.tif 000008
【図７】
2016101747.tif 000009
(57)【要約】【課題】本発明は、傘をさした状態に於いて、傘の柄部（１）にすべり止め並びに落下防止の効果があり、握っている掌の握力を弱めても傘を保持することが出来る。そして掌にフィットし、併せて美的感覚に優れた傘の柄部（１）を提供する。【解決手段】傘の柄部（１）を、傘をさした状態に於いて、すべり止めの効果がある細長い逆円錐台形状の握り部（３ｂ）に形成するか、若しくは細長い逆多角錐台形状の握り部（３ｃ）に形成する。そして握り部（３ｂ）の上部延長線上に、滑らかに繋がるラッパ形状に形成したストッパー部（４ａ）を設けるか、若しくは握り部（３ｃ）の上部延長線上に滑らかに繋がる多角ラッパ形状に形成したストッパー部（４ｂ）を設ける。これらにより、傘を握った時、滑り止め及び落下防止の効果があり、握力を弱めても傘は落下することなく、併せて美的感覚も優れたものとなる。【選択図】図２
2016101462.tif 000002
【特許請求の範囲】
【請求項１】
上部に傘の軸を有する傘の柄部（１）において、握り部（３ｂ）の直径が上部へ向けて徐々に太径となる逆円錐台形状を形成し、握り部（３ｂ）の上部に一体に成型して上方へ向けて柄部（１）の直径がラッパ形状に拡大するストッパー部（４ａ）を設けたことを特徴とする傘の柄。
【請求項２】
握り部及び上方に一体に成型されたストッパー部の断面が円形状からなる請求項１の傘の柄。
【請求項３】
握り部及び上方に一体に成型されたストッパー部の断面が多角形状からなる請求項１の傘の柄。
【発明の詳細な説明】
【技術分野】
【０００１】  本発明は、握る力を要しないで美的感覚に優れた傘の柄部に関するものである。
【背景技術】
【０００２】  従来の傘の柄部は、図１のように柄部（１）が細長い円柱形であった。
また、傘の柄の柄元近くに、ずれ止めの球形や卵形等の膨らみを成型したずれ止め付き傘の柄が知られている。（特許文献１参照）
【先行技術文献】
【特許文献】
【０００３】
【特許文献１】特開平１１−５６４２８号
【発明の概要】
【発明が解決しようとする課題】
【０００４】  そのため、次のような問題点があった。
図１のように、従来の傘の握り部（３ａ）は、単なる細長い円柱形で、傘の重さに耐えうる握力を必要とし、握りしめていないと傘が滑り落ち、指が疲れて来たら反対の手で握りなおすことがあった。また、冬の寒い時に布の手袋をはめて傘をさすと、滑ることがあり手袋を外すこともあった。
なお、特許文献１は、単に傘の柄元近くにすべり止めの球形や卵形等の膨らみを成型したもので、落下防止の効果はあってもすべり止めの効果は弱く、また、握った掌にフィットする感覚は乏しく、併せてスマート感に欠ける。
本発明は、以上の問題点を解決するためになされたものである。
【課題を解決するための手段】
【０００５】  以上の課題を解決するために、
（イ）図２のように、握り部（３ｂ）を、傘をさした状態に於いて、滑り止めの効果がある握り部（３ｂ）の直径が上部へ向けて徐々に太径となる細長い逆円錐台形状に形成することを特徴とする、柄部（１）である。
（ロ）柄部（１）は、図２のように、握り部（３ｂ）の上に、落下防止の効果がある上方へ向けて柄部（１）の直径が拡大する滑らかに繋がるラッパ形状のストッパー部（４ａ）を設けたことを特徴とする。
（ハ）図２の場合は、握り部（３ｂ）及び上方に一体に成型されたストッパー部（４ａ）の断面は円形状である。
（ニ）また、その他の実施形態として、図３のように、握り部（３ｃ）を、傘をさした状態に於いて、滑り止めの効果がある細長い逆多角錐台形状に形成したものに置き換えた柄部（１）にし、この場合、握り部（３ｃ）の上に落下防止の効果がある滑らかに繋がる多角ラッパ形状のストッパー部（４ｂ）を設けたことを特徴とする柄部（１）である。
（ホ）図３の場合は、握り部（３ｃ）及び上方に一体に成型されたストッパー部（４ｂ）の断面は多角形状である。
（ヘ）図２及び図３のように、握り部（３ｂ）の下、並びに握り部（３ｃ）の下にはそれぞれ滑らかに繋がる湾曲部（６）がある。また、上面（５ａ）及び上面（５ｂ）の上にはそれぞれ軸（２）がある。
本発明は、以上の構成よりなる傘の柄である。
【発明の効果】
【０００６】  図２のように、握り部（３ｂ）を、細長い逆円錐台形状に形成するか、若しくは図３のように細長い逆多角錐台形状に形成することにより、滑り止めの効果があり、握っている掌の握力を弱めても傘を保持することが出来る。同じく図２ように、握り部（３ｂ）の上に、滑らかに繋がるラッパ形状に形成したストッパー部（４ａ）を設けるか、若しくは図３のように、滑らかに繋がる多角ラッパ形状に形成したストッパー部（４ｂ）を設けることにより、これらが落下防止の役割を果たし、握力を弱めても傘は落ちない。また、冬場の寒い時に手袋をはめて傘をさしても滑ることはない。これらにより、お年寄りでも女性でも、力の弱い方が傘の柄部（１）を握っても、強い握力を必要とせず楽に傘を持つことが出来る。また握った掌のフィット感もある。更に、図１のような従来の傘の柄部（１）より美的感覚も優れたものとなる。
【図面の簡単な説明】
【０００７】
【図１】従来の傘の柄部の斜視図
【図２】本発明の斜視図
【図３】本発明の他の実施形態を示す斜視図
【発明を実施するための形態】
【０００８】  以下、本発明の実施の形態を説明する。
イ）図２のように、柄部（１）に傘をさした状態に於いて、細長い逆円錐台の形状をした握り部（３ｂ）を設ける。
ロ）握り部（３ｂ）の長さは握った掌の幅よりやや長くし、上部の直径は下部の直径よりやや大きくする。
ハ）握り部（３ｂ）の上に、上方に向けて拡開するように、滑らかに繋がるラッパ形状をしたストッパー部（４ａ）を設ける。
ニ）握り部（３ｂ）の下に湾曲部（６）を設ける。
ホ）ストッパー部（４ａ）の上面（５ａ）は平坦な円形とする。
ヘ）ストッパー部（４ａ）の上に軸（２）を設ける。
本発明は以上のような構造である。
これを使用するときは、従来の傘と同じように図２に示した握り部（３ｂ）からストッパー部（４ａ）にかけて柄部（１）を握る。握り部（３ｂ）のすべり止めの効果とストッパー部（４ａ）の落下防止の二つの効果が発生し、傘は弱い力で握ることが出来る。
【０００９】また、必要に応じて、上面（５ａ）の上部に花弁等を設けることにより、好みに合わせた商品が可能である。
【００１０】なお、図３に示すように、その他の実施形態として、握り部（３ｃ）を断面が６角形状又は、８角形状の逆多角錐台形状に置き換え、同時にストッパー部（４ｂ）を握り部（３ｃ）と同角の滑らかに繋がる多角ラッパ形状に置き換えることにより、図２の握り部（３ｂ）とストッパー部（４ａ）の柄部（１）と同じ効果が得られ、傘は弱い力で握ることが出来る。また異なったデザインを味わうことも出来る。この場合、湾曲部（６）と軸（２）は図２と同じような構造とし、ストーパー部（４ｂ）の上面（５ｂ）は、握り部（３ｃ）と同角の平坦な多角形とする。
これを使用するときは、前記の図２を使用するときと同じである。
【符号の説明】
【００１１】１    柄部
２    軸
３ａ  握り部
３ｂ  握り部
３ｃ  握り部
４ａ  ストッパー部
４ｂ  ストッパー部
５ａ  上面
５ｂ  上面
６    湾曲部
【図１】
2016101462.tif 000003
【図２】
2016101462.tif 000004
【図３】
2016101462.tif 000005
(57)【要約】      （修正有）【課題】古いエコーゼリーがボトルの底に残ってしまうことを防止し、また、患者には常に暖められたゼリーを供給できるゼリー用ボトルを提供する。【解決手段】ボトル本体１の先端には、エコーゼリー排出口３が設けられ、ボトル本体１の他端の底にはスクリューキャップ式の蓋７が着脱自在に取り付けられた構造とし、ゼリーの詰め替えはスクリューキャップ式の蓋７を外して行う。【選択図】図２
2016101465.tif 000002
【特許請求の範囲】
【請求項１】
エコーゼリー本体の先端には、エコーゼリー排出口が設けられ、エコーゼリー本体の他端の底にはスクリューキャップ式の蓋が着脱自在に取り付けられたボトムインゼリーボトル。
【発明の詳細な説明】
【技術分野】
【０００１】本発明は、超音波検査に使用するエコーゼリーボトルに関するものである。
【背景技術】
【０００２】従来、エコーゼリーは５Ｌ程度の大袋から３００ｍｌほどのボトルに移し替え、継ぎ足して使用する。そのためボトルの底に残ったゼリーは入れ替わることがないままとなっていた。
【発明の概要】
【発明が解決しようとする課題】
【０００３】エコーゼリーは患者様のお腹に載せて使用するものであるから、古いエコーゼリーがボトルの底に残ってしまうことは衛生的に良くない。また、検査中は常時ウオーマーでゼリーを温めているが、急にゼリーが少なくなった場合、ゼリーが温まる時間がなく患者様のお腹に冷たいゼリーを載せてしまうことになっている。本発明は以上の問題点を解決するものである。
【課題を解決するための手段】
【０００４】エコーゼリー本体の先端には、エコーゼリー排出口が設けられ、エコーゼリー本体の他端の底にはスクリューキャップ式の蓋が着脱自在に取り付けられたボトムインゼリーボトル。
【発明の効果】
【０００５】ボトルの底からゼリーを継ぎ足すことが出来れば、古いエコーゼリーがボトルの底に残ることなく使用することが出来る。また、検査中にゼリーが少なくなってきても底から継ぎ足すことが出来るので、冷たいゼリーを患者様のお腹に載せてしまうというリスクを防げる。
【図面の簡単な説明】
【０００６】
【図１】従来のエコーゼリーボトルの斜視図
【図２】本発明の斜視図
【図３】本発明の使用状態を示す斜視図
【発明を実施するための形態】
【０００７】以下、本発明の実施の形態を説明する。（イ）３００ｍｌのエコーゼリーボトル（１）本体の先端（２）にはゼリーの出口（３）があり、本体の先端（２）からゼリー（４）が、患者様のお腹に排出されエコー検査が行われる。（ロ）エコーゼリーボトル（１）の本体の他端の底（５）にはエコーゼリーボトル（１）の本体と同じ径のネジ（６）が設けられ、スクリューキャップ（７）が取り付けられている。（ハ）エコーゼリーボトル（１）のゼリー（４）が少なくなり継ぎ足しが必要になれば、スクリューキャップ（７）を取り外してエコーゼリーボトル（１）の本体の底（５）からゼリー（４）を注入する。  本発明は以上のような構造である。
【０００８】  本発明を使用するときは、エコーゼリーボトル（１）の本体の底（５）に取り付けられているスクリューキャップ（７）を取り外して、５Ｌの大袋からゼリー（４）を注入して使用する。従来、エコーゼリーボトル（１）本体の先端（２）にあるゼリーの出口（３）は、エコーゼリーボトル（１）本体の径よりも少し小さい径のネジ（８）についており、その小さい径のネジ（８）を取り外して５Ｌの大袋からゼリー（４）を注入していた。そのためエコーゼリーボトル（１）の底（５）のゼリー（４）は使いきれずいつまでも残ったままであった。本発明によって、エコーゼリーボトル（１）の底（５）からゼリー（４）を注入することで、使いきれない古いゼリー（４）がいつまでも残ることはなく衛生的である。また、検査中はエコーゼリーボトル（１）の先端（２）を下にしてウオーマーで温めているため、検査中にゼリー（４）が少なくなってもエコーゼリーボトル（１）の底（５）からゼリー（４）を注入出来れば、患者様のお腹に冷たいゼリー（４）を載せることはなくなる。
【符号の説明】
【０００９】１  エコーゼリーボトル、２  本体の先端、３  ゼリーの出口、４  ゼリー、５  本体の底、６  同じ径のネジ、７  スクリューキャップ、８  小さい径のネジ
【図１】
2016101465.tif 000003
【図２】
2016101465.tif 000004
【図３】
2016101465.tif 000005